(57)【特許請求の範囲】
【請求項１】
複数のサブフィールドにより１フィールドを構成し、前記サブフィールドの組合せにより多階調を表示する複数のセルからなるＡＣ型プラズマディスプレイパネルを駆動するに際し、前記フィールド期間中に予備放電、維持放電を行う駆動方法において、
当該予備放電は、
前記複数のセルのうち、前サブフィールドで前記維持放電を行っていたセルでのみ先行して放電を開始せしめ、
続いて当該前サブフィールドで前記維持放電を行っていなかったセルでのみ放電を開始せしめること
を特徴とするプラズマディスプレイパネルの駆動方法。
【請求項２】
複数のサブフィールドにより１フィールドを構成し、前記サブフィールドの組合せにより多階調を表示する複数のセルからなるＡＣ型プラズマディスプレイパネルを駆動するに際し、前記フィールド期間中に予備放電、維持放電を行う駆動方法において、
当該予備放電は、
前記複数のセルのうち、前サブフィールドで前記維持放電を行っていたセルと、当該前サブフィールドで前記維持放電を行っていなかったセルとでは異なる条件にて行い、
予備放電を発生させるために与える電圧は、
複数のセルのうち、前サブフィールドで維持放電を行っていなかったセルの方が、当該前サブフィールドで維持放電を行っていたセルよりも高いこと
を特徴とするプラズマディスプレイパネルの駆動方法。
【請求項３】
ＡＣ型プラズマディスプレイパネルは、
平行に配置された維持電極対と、この維持電極対に直交する方向に配置された書き込み電極とを有すること
を特徴とする請求項１または２に記載のプラズマディスプレイパネルの駆動方法。
【請求項４】
複数のサブフィールドにより１フィールドを構成し、前記サブフィールドの組合せにより多階調を表示する複数のセルからなるＡＣ型プラズマディスプレイパネルを駆動するに際し、前記フィールド期間中に予備放電、維持放電を行う駆動方法において、
当該予備放電は、
前記複数のセルのうち、前サブフィールドで前記維持放電を行っていたセルと、当該前サブフィールドで前記維持放電を行っていなかったセルとでは異なる条件にて行い、
ＡＣ型プラズマディスプレイパネルは、
平行に配置された維持電極対と、この維持電極対に直交する方向に配置された書き込み電極とを有し、
前サブフィールドで維持放電を行っていなかったセルにおける予備放電を発生させるために与える電圧は、
当該前サブフィールドで維持放電を行っていたセルにおける予備放電を発生させるために与える電圧の１．５〜２倍であること
を特徴とするプラズマディスプレイパネルの駆動方法。
【請求項５】
前サブフィールドで維持放電を行っていなかったセルにおける予備放電を発生させるために与える電圧の波形は、
立ち上がり時間が数μｓ〜数百μｓである鈍った波形であること
を特徴とする請求項２または４に記載のプラズマディスプレイパネルの駆動方法。
【発明の詳細な説明】
【０００１】
【産業上の利用分野】
この発明は、メモリ機能を有する表示素子であるセルの集合によって構成された表示パネルを駆動する方法に関するもので、特に３電極・面放電型のＡＣ型プラズマディスプレイパネル（ＰＤＰ）の駆動方法に関するものである。
【０００２】
【従来の技術】
図１３は、例えば特開平６−１８６９２７号公報に示された従来のＰＤＰの概略的平面図であり、図１４は図１３のセルの基本構造を示す概略的断端面図、図１５はその駆動方法を示す波形図である。図１３において、１０１はパネル本体、１０２はＸ電極、１０３Ｋ（Ｋは、１〜１０００の中の任意の数）はＹ電極、１０４Ｋはアドレス電極、１０５は一対のＸ電極、Ｙ電極と１本のアドレス電極との交差部分にＭ×１０００個構成されたセル、１０６はセル１０５を仕切る壁、１０７Ｋは表示ラインである。
【０００３】
図１４において、１０８は前面ガラス基板、１０９は背面ガラス基板、１１０はＸ電極１０２及びＹ電極１０３Ｋを被覆する誘電体層、１１１は誘電体層１１０を放電から保護するＭｇＯ膜等からなる保護膜、１１２は放電ガスとして放射された紫外線で励起されて色を発光する蛍光体、１１３は放電空間である。
【０００４】
図１５は、従来のＰＤＰの駆動方法を示す波形図であり、１駆動サイクルを示している。まず、選択ラインのＹ電極がＧＮＤレベルとされ、非選択ラインのＹ電極の電位はＶｓレベルに保持され、Ｘ電極１０２に電位Ｖｗからなる書き込みパルス１３６が印加され、選択ラインの全セルの放電が行われる。続いて、選択ラインのＹ電極の電位が電圧Ｖｓに戻されると共に、維持放電パルス１３７が印加され、維持放電が行なわれた後、選択ラインのＹ電極に細幅消去パルス１３８が印加され、選択ラインの全セルで消去放電が行なわれる。
【０００５】
次に、選択ラインのＹ電極にＧＮＤレベルのアドレスパルス（書込みパルス）１３９が印加され、非選択ラインのＹ電極の電位はＶｓレベルに保持され、点灯を行うべきセルに対応するアドレス電極に電圧Ｖａのアドレスパルス（書込みパルス）１４０が印加され、点灯させるべきセルとして選択されたセルの放電が行われる。
【０００６】
次に、Ｘ電極１０２と、選択ラインのＹ電極とに交互に維持放電パルス１４１、１４２が印加され、これにより維持放電が繰り返される。このようにして、選択ラインに対する表示データの書込みが行なわれる。なお、１４３は非選択ラインのＹ電極に印加される維持放電パルスである。この従来のＰＤＰを駆動する方法では、選択ラインに対して表示データの書込みを行う前に、選択ラインの全セルにおいて書込み放電を行った後、選択ラインの全セルにおいて消去放電を行うようにしているので、選択ラインの全セルの状態を均一化を図ることができ、線順次駆動法法において、書込みミスを回避し、良好な画像表示を行うことができるものである。
【０００７】
【発明が解決しようとする課題】
従来のＰＤＰの駆動方法は、以上のようにして書込みミスを回避しているが、全セルの放電を維持電極対間（Ｘ電極とＹ電極との間）で行っているので、電極間に高い電圧が必要であり、放電が強くなるためコントラストを悪化させるという問題点があった。
【０００８】
この発明は上記のような問題点を解決するためになされたもので、コントラストの悪化を極力抑制し、安定した書込み放電がなされるプラズマディスプレイパネルの駆動方法を提供することを目的とする。
【０００９】
【課題を解決するための手段】
この発明に係るプラズマディスプレイパネルの駆動方法は、複数のサブフィールドにより１フィールドを構成し、前記サブフィールドの組合せにより多階調を表示する複数のセルからなるＡＣ型プラズマディスプレイパネルを駆動するに際し、フィールド期間中に予備放電、維持放電を行う駆動方法において、
予備放電は、
複数のセルのうち、前サブフィールドで維持放電を行っていたセルでのみ先行して放電を開始せしめ、
続いて前サブフィールドで維持放電を行っていなかったセルでのみ放電を開始せしめること
としたものである。
【００２６】
【作用】
この発明に係るプラズマディスプレイパネルの駆動方法によれば、複数のセルのうち、前サブフィールドで前記維持放電を行っていたセルでのみ先行して放電を開始し、続いて前サブフィールドで維持放電を行っていなかったセルでのみ放電を開始する予備放電が起こる。
【００３９】
【実施例】
実施例１．
コントラストの悪化を抑制するためには、予備放電の電圧を下げて放電を弱くする必要があるが、この実施例では先ず書込電極と維持電極対の一方の電極の間で放電を発生させ、次にこの放電をトリガにして低い電圧で維持電極対間に予備放電を発生させようとするものである。
【００４０】
以下、この発明の実施例を図について説明する。図１はこの実施例によるＰＤＰの断面図、図２はこの実施例によるＰＤＰの概略構成図、図３はこの実施例による駆動波形図である。
【００４１】
図１において、１は前面基板、２は背面基板、３は前面基板１の裏面に設けられた維持電極対の一方を形成するＸ電極、４はこのＸ電極３と平行に設けられた維持電極対の他方を形成するＹ電極、５は維持電極対と直交する背面電極２に設けられた書込電極であるＷ電極、６はＸ電極３及びＹ電極４を被覆する誘電体層、７は前面基板１と背面基板２との間に形成された放電空間、１８はＷ電極５を被覆する蛍光体または誘電体である。
図２において、８は維持電極対３、４とＷ電極５の交点を含む放電セルである。
【００４２】
次に動作について図３の駆動波形図により説明する。
先ず、Ｘ電極３の電位を維持電圧Ｖｓ（２００Ｖ）に立ち上げると同時に全てのＷ電極５に電位Ｖｗ（８０Ｖ）の予備放電パルス１３が印加される。この時Ｗ電極５とＹ電極４の間には電位差Ｖｗがあるため放電が開始される。そしてこのＷ電極５とＹ電極４間の放電をトリガにしてＸ電極３とＹ電極４との間で電位差Ｖｓによる予備放電となる放電が発生する。
【００４３】
続いてＹ電極４の電位をＶｓとし、Ｘ電極３に電位０の細幅消去パルスを印加することにより全セルの消去を行う。次にＹ電極４に電位０の走査パルス１０が印加されると同時にＷ電極５に画像データに従い電位Ｖｗの書込パルス９が印加され、書込放電が起きる。そしてＸ電極３とＹ電極４に交互に維持パルス１１を印加することにより、維持放電が行われ画像が表示される。
【００４４】
このように予備放電時の動作を書込放電と同じにすることにより、Ｘ電極３とＹ電極４間の電位差をＶｓ（２００Ｖ）という比較的小さい値にすることができ、予備放電のエネルギーを小さく、コントラストをあまり悪化させないようにすることができる。
【００４５】
例えば従来の技術で説明したＰＤＰの駆動方法によれば、Ｘ電極３とＹ電極４との間に約３５０Ｖもの電圧を印加しないと予備放電を開始することができない。
なお、Ｗ電極５とＸ電極３との間の放電は、Ｗ電極５と放電空間との間の静電容量を小さくすることにより、十分に弱い放電とすることができる。
なお、この実施例では全てのセルで同時に予備放電を行ったが、必ずしも全てのセルで行わなくても、一つの表示ライン毎、或は幾つかの表示ライン毎に行っても良い。
【００４６】
また、ＰＤＰのセル構造は、図４に示すような、Ｘ，Ｙ電極対３、４とＷ電極５が同一平面上にあるようなものでも良い。
さらに、ここでは消去パルスとして細幅消去を用いたが、これは太幅消去、または鈍り波形を利用した消去、または自己消去を利用した消去、あるいは細幅消去の後に鈍り波形を利用した消去を行うなど複数の消去の複合でもよい。
以上のことは、以下の実施例でも同様である。
【００４７】
実施例２．
実施例１の駆動方法で予備放電を行う場合、セルの放電特性にバラツキがある場合あるいは前のフィールドで維持放電を行わなかったセルは予備放電から時間が経過している場合は放電を起こしにくいということがあるため、このセルを別個にやや強めの放電の予備放電を行い予備放電が起こらないセルがないようにするものである。
【００４８】
以下、この発明の実施例２を図について説明する。図５は実施例２によるＰＤＰの駆動波形図である。
図５に示すように、先ず、Ｘ電極３に電位Ｖｓ（２００Ｖ）のパルスを印加し、前のフィールドで維持放電を行なっていたセルのみ先に放電させる。次に、Ｘ電極３とＷ電極５に予備放電パルスを印加する。この時、前のフィールドで維持放電を行っていたセルでは既にこの予備放電パルスを打ち消すような壁電荷が形成されているため放電は起こらず、前のフィールドで放電していなかったセルのみが新たに放電を起す。
続いて、実施例１と同様、消去、書込、維持が行なわれる。
【００４９】
前のフィールドで維持放電を行わなかったセルは前の予備放電から時間が経過しているので放電を起こしにくく、また１回の予備放電で十分な効果を上げるためにやや強めの放電にした方が良い場合がある。
【００５０】
この実施例では、前のフィールドで維持放電を行わなかったセルについて、別個に予備放電を行うため、例えば図５に示したように、予備放電時のＸ電極３の電位をやや高くするなど、前のフィールドで放電していたセルと異なる条件で放電を起こすことができる。
なお、この場合のＸ電極３の電位はあまり高すぎるとコントラストを悪化させることになり、Ｗ電極５を利用した意味が無くなるので、Ｖｓの１〜１．５倍程度の範囲が適当と考えられる。
なお、図５のＸ電極３の１つめのパルスと、２つめのパルスは破線で示したようにつないでしまっても同様の動作となる。
【００５１】
この実施例によれば、前のフィールドで維持放電を行わなかったセルを別個に予備放電を行うようにしたので、予備放電が起こらないセルを無くすことができる。
【００５２】
実施例３．
実施例１あるいは実施例２に示したＰＤＰの駆動方法では、セルの放電特性にバラツキがある場合あるいは前のフィールドの予備放電から非常に長い時間が経過した場合など、Ｗ電極５への予備放電パルスのみでは放電しないセルが発生する可能性がある。実施例３はこの問題を解決するものであり、Ｗ電極に予備放電パルスを印加した後、さらにＸ電極３に高電圧パルスを印加することにより放電しないセルが発生しないようにしたものである。
【００５３】
以下、この発明の実施例３を図について説明する。図６はこの実施例によるＰＤＰの駆動波形図である。
図６に示すように、実施例２と同様に、先ずＸ電極３に電位Ｖｓ（２００Ｖ）のパルスを印加し、前のフィールドで維持放電を行っていたセルのみ先に放電させる。次に、Ｘ電極３とＷ電極５に予備放電パルスを印加して、前のフィールドで放電していなかったセルが新たに放電を起こす。しかしセルの放電特性のバラツキがある場合あるいは前のフィールドの予備放電から非常に長い時間が経過した場合は、この予備放電パルスの印加だけでは放電しないセルが発生する可能性がある。そこでこの予備放電パルスの印加に続いて、Ｘ電極３に高電圧パルス１４を印加する。
この高電圧パルス１４によって、Ｗ電極５への予備放電パルス１３のみでは放電しなかったセルを強制的に放電させることにより、全てのセルで確実に予備放電を起こすことができる。また、この高電圧パルス１４では予備放電パルスにより放電しなかったセルのみが放電するため、表示コントラストを大きく悪化させることは無い。高電圧パルスの電圧は、放電を確実に発生させるのに必要十分な値として例えばＶｓの１．５〜２倍の電圧が適当と考えられる。
実施例３においても、図６に示すように破線でパルスをつないでも構わない。
【００５４】
この実施例によれば、Ｗ電極５への予備放電パルス１３を印加した後、Ｘ電極３に高電圧パルス１４を印加することにより、表示コントラストを大きく悪化させることなく全てのセルで確実に予備放電を起こすことができる。
【００５５】
実施例４．
実施例３では、予備放電パルスをＷ電極へ印加した後、Ｘ電極に高電圧パルスを印加した全てのセルで放電が発生するようにしたが実施例４ではその高電圧パルスの波形を鈍らせることによって放電可能な最小限の電圧で放電させることにより実施例３よりもさらにコントラストを高く保つようにしたものである。
【００５６】
以下、この発明の実施例４を図について説明する。図７はこの実施例によるＰＤＰの駆動波形図である。
図７に示すように、予備放電パルス１３をＷ電極５に印加した後、Ｘ電極３に高電圧パルス１４を印加するが、この波形は徐々に電圧が上昇する鈍い形をしている。この鈍り波形の立ち上がり時間は数μｓ〜数百μｓである。このように波形を鈍らせることにより予備放電パルスで放電しなかったセルは放電可能な最小限の電圧で放電するため、実施例３よりもさらにコントラストを高く保つことができる。
なお、Ｘ電極３には一旦Ｖｓの電位が印加された後に鈍りパルスが印加されるため、鈍り波形により消去放電となってしまうことは無い。
実施例４においても図７に示す破線のようにパルスをつないでもよい。
【００５７】
この実施例によれば、Ｘ電極３に印加する高電圧パルス１４の波形を鈍らせることにより、全セルで放電可能とすると共に、実施例３よりもコントラストを高く保つことができる。
【００５８】
実施例５．
コントラストをより高く保つために、実施例４に示した予備放電を連続して行うのではなく、予備放電の効果が続く範囲で予備放電を間引いたものである。
以下、この発明の実施例５を図について説明する。図８はこの実施例によるＰＤＰの駆動波形図、図９はシーケンス図である。
図９において、１５は書込・維持期間、１６は予備放電・消去期間、１７は消去期間である。
図８、９に示すように、これはサブフィールド階調法において、実施例４に示した予備放電を１フィールド置きに行うようにしたもので、予備放電の効果が１サブフィールドの長さよりも長く続く場合は、このように予備放電を間引くことにより、コントラストをより高く保つことができる。
【００５９】
実施例６．
なお、上記実施例５では実施例４に示した予備放電を１フィールド置きに行うものを示したが、図１０の駆動波形図に示すように、実施例１に示した予備放電と実施例４に示した高電圧パルスを含む予備放電を交互に行う方法でも所期の目的を達成し得ることは言うまでもない。
【００６０】
実施例７．
実施例５では、１サブフィールド置きに予備放電を行ったが、図１１の駆動シーケンスに示すように、期間の短いサブフィールドにおいては前のサブフィールドでの予備放電の効果が強く残っているため、予備放電の頻度を下げている。逆に期間の長いサブフィールドの後では前のサブフィールドでの予備放電の効果が弱いためあまり予備放電を間引かないようにしている。
このようにすることにより１回の予備放電を効率的に使うことができ最小の予備放電の頻度で安定な書込を行うことが可能となる。
【００６１】
実施例８．
さらに図１２に示す駆動シーケンスでは、これを改善し、短いサブフィールドと長いサブフィールドが交互になるように順序を変え、予備放電を１フィールドの中で平均的に起こすようにしている。
このようにすることにより１回の予備放電を効率的に使うことができ最小の予備放電の頻度でより安定な書込を行うことが可能となる。
【００６２】
【発明の効果】
この発明に係るプラズマディスプレイパネルの駆動方法は、複数のセルのうち、前サブフィールドで前記維持放電を行っていたセルでのみ先行して放電を開始し、続いて前サブフィールドで維持放電を行っていなかったセルでのみ放電を開始する予備放電を行うので、前サブフィールドで維持放電を行っていなかったセルであっても確実に予備放電を起こすことができる。
【図面の簡単な説明】
【図１】この発明の実施例１によるプラズマディスプレイパネルのセル断面図である。
【図２】この発明の実施例１によるプラズマディスプレイパネルの構成図である。
【図３】この発明の実施例１によるプラズマディスプレイパネルの駆動波形図である。
【図４】この発明の実施例１によるプラズマディスプレイパネルのセル断面図である。
【図５】この発明の実施例２によるプラズマディスプレイパネルの駆動波形図である。
【図６】この発明の実施例３によるプラズマディスプレイパネルの駆動波形図である。
【図７】この発明の実施例４によるプラズマディスプレイパネルの駆動波形図である。
【図８】この発明の実施例５によるプラズマディスプレイパネルの駆動波形図である。
【図９】この発明の実施例５によるプラズマディスプレイパネルのシーケンス図である。
【図１０】この発明の実施例６によるプラズマディスプレイパネルの駆動波形図である。
【図１１】この発明の実施例７によるプラズマディスプレイパネルのシーケンス図である。
【図１２】この発明の実施例８によるプラズマディスプレイパネルのシーケンス図である。
【図１３】従来のプラズマディスプレイパネルの構成図である。
【図１４】従来のプラズマディスプレイパネルの断面図である。
【図１５】従来のプラズマディスプレイパネルの駆動波形図である。
【符号の説明】
３  Ｘ電極、４  Ｙ電極、５  Ｗ電極、８  セル、１３  予備放電パルス、１４  高電圧予備放電パルス。
【図１】
0003549597.tif 000002
【図２】
0003549597.tif 000003
【図３】
0003549597.tif 000004
【図４】
0003549597.tif 000005
【図５】
0003549597.tif 000006
【図６】
0003549597.tif 000007
【図７】
0003549597.tif 000008
【図８】
0003549597.tif 000009
【図９】
0003549597.tif 000010
【図１０】
0003549597.tif 000011
【図１１】
0003549597.tif 000012
【図１２】
0003549597.tif 000013
【図１３】
0003549597.tif 000014
【図１４】
0003549597.tif 000015
【図１５】
0003549597.tif 000016